(57)【特許請求の範囲】
【請求項１】
三角柱を一の側面が天面となるように倒伏させた外形形状を有し、長手方向一方端面に開口が設けられた鉄板製のストーブ本体と、
前記ストーブ本体における内部空間の下部を、長手方向一方端面の開口から長手方向他方端面近傍に亘って上下に区画し、上面側に燃焼室が形成されると共に下面側に前記燃焼室に対して該ストーブ本体の奥から空気を供給する空気供給路が形成される底板と、
前記燃焼室側の開口を開閉する開閉扉と、
前記空気供給路側の開口を開閉し、前記空気供給路を通流する空気の風量を調節する風量調節部材と、
前記ストーブ本体の天面に開口され、煙突が接続される排気口とを具備することを特徴とするクッキングストーブ。
【請求項２】
前記風量調節部材が、軸に直交する垂直断面が略Ｖ字状に形成され、前記空気供給路の内壁に沿うように嵌挿される長尺の金属材からなる本体と、前記本体の先端に取り付けられ、前記本体を前記空気供給路の最奥側まで進入させた際に前記空気供給路側の開口を閉塞する蓋体とで構成されていることを特徴とする請求項１に記載のクッキングストーブ。
【請求項３】
前記底板の奥部先端に立設され、燃焼室の燃料や該燃料が燃焼して出来た灰或いは煤が空気供給路へと進入しないように隔離する奥部隔壁と、前記ストーブ本体における内部空間の上部を、長手方向他方端面から長手方向一方端面の開口近傍に亘って上下に区画し、その上面側に排気路が形成される整流板とを更に備え、
前記排気口が前記天面の長手方向他方端面側に設けられていることを特徴とする請求項１又は２に記載のクッキングストーブ。
【請求項４】
前記ストーブ本体の天面における左右一対の長辺部が、隣接する側面に向けて円弧状に曲成されると共に、該天面の下面側には、長手方向に沿って１又は複数本のアングル材が固定されていることを特徴とする請求項１乃至３の何れかに記載のクッキングストーブ。
【発明の詳細な説明】
【技術分野】
【０００１】
本発明は、暖房器具としてはもちろん、加熱調理器具としても活躍するクッキングストーブに関する。
【背景技術】
【０００２】
地震などの大規模自然災害により、電気、水道、ガスと云ったライフラインや周辺の道路などが寸断され、事実上孤立した地区(被災地)では、特に冬場の寒い時期に住民の生存が脅かされるような事態が生じ得る。
【０００３】
また、地震やこれに伴なう津波などによって家屋が倒壊した場合、多量の瓦礫が発生するが、このような瓦礫の中には、薪などのように燃料となる廃木材などが多量に含まれている。
【０００４】
以上のような状況の下、被災地において瓦礫に含まれる廃木材などを有効活用してライフライン等が復旧するまでの非常事態に対処する技術として、例えば、特開２００７−１７０７３０号公報(特許文献１)には、薪ストーブ本体と、この薪ストーブ本体に上下方向へ延伸して連結された煙突と、前記薪ストーブ本体の上部に設けられ、かつ、予め水が収容されると共にこの水を蒸気に変換せしめるボイラ室と、このボイラ室に蒸気パイプを介して連結された蒸気タービンと、この蒸気タービンの回転により回転駆動される発電機と、この発電機に接続した電気器具とを有していることを特徴する薪ストーブ装置が提案されている。
【０００５】
これによれば、台風や地震などで何日間も電気が供給されない非常事態が起きたとしても、この薪ストーブ装置を使用することにより、暖房をとるためだけでなく、電気器具に電気を供給して例えば照明灯を点灯したりラジオを受信したりすることができる。
【先行技術文献】
【特許文献】
【０００６】
【特許文献１】特開２００７−１７０７３０号公報
【発明の概要】
【発明が解決しようとする課題】
【０００７】
しかしながら、ライフラインが寸断された寒冷な被災地では、被災住民の生存を確保するために暖房と共に必要なものは、電気による明かりやラジオを受信すること等よりもむしろ被災住民や現地で復興に携わる人達の食を確保するために煮炊きができる調理用加熱器具である。
【０００８】
また、燃料として廃木材などが使用可能な薪ストーブ装置を上述のような被災地で使用する場合、シンプルな構造で故障が少なく、しかも簡単に持ち運びができるような比較的軽量なものでなければ、係る被災地では有効に活用することができない。
【０００９】
それゆえに本発明の主たる課題は、暖房のみでなく調理用加熱器具としても好適に使用することができ、シンプルな構造で耐久性に優れ、しかも簡単に持ち運びできるような軽量化が図られたクッキングストーブを提供することである。
【課題を解決するための手段】
【００１０】
本発明における第１の発明は、
（ａ）三角柱を一の側面が天面１２ａとなるように倒伏させた外形形状を有し、長手方向一方端面に開口１２ｂが設けられた鉄板製のストーブ本体１２と、
（ｂ）前記ストーブ本体１２における内部空間の下部を、長手方向一方端面の開口１２ｂから長手方向他方端面１２ｃ近傍に亘って上下に区画し、上面側に燃焼室２４が形成されると共に下面側に前記燃焼室２４に対して該ストーブ本体１２の奥から空気Ａを供給する空気供給路２６が形成される底板１４と、
（ｃ）前記燃焼室２４側の開口１２ｂを開閉する開閉扉１６と、
（ｄ）前記空気供給路２６側の開口１２ｂを開閉し、前記空気供給路２６を通流する空気Ａの風量を調節する風量調節部材１８と、
（ｅ）前記ストーブ本体１２の天面１２ａに開口され、煙突３４が接続される排気口２０とを具備する
（ｆ）ことを特徴とするクッキングストーブ１０、である。
【００１１】
この発明では、ストーブ本体１２の外形形状を一の側面が天面１２ａとなるように三角柱を倒伏させた形状としているので、加熱調理に使用する天面１２ａの面積を十分に確保しつつ、ストーブ本体１２を構成する鉄板の量を極小化してストーブ本体１２の軽量化を実現することができる。
【００１２】
また、上面側に燃焼室２４が形成される底板１４は、ストーブ本体１２下部の幅が狭くなっている部分に取り付けられている。つまり、底板１４の幅が狭くなっているので、薪などの燃料Ｆが燃焼室２４へ過剰に投入されるのを防止することができ、適正量の燃料Ｆを当該燃焼室２４で効率的に燃焼させることができるようになっている。
【００１３】
本発明における第２の発明は、上記第１の発明のクッキングストーブ１０において、「前記風量調節部材１８が、軸に直交する垂直断面が略Ｖ字状に形成され、前記空気供給路２６の内壁に沿うように嵌挿される長尺の金属材からなる本体１８ａと、前記本体１８ａの先端に取り付けられ、前記本体１８ａを前記空気供給路２６の最奥側まで進入させた際に前記空気供給路２６側の開口１２ｂを閉塞する蓋体１８ｂとで構成されている」ことを特徴とするもので、これにより、燃料Ｆの燃焼に伴なって生じた煤や灰或いはタールなどが空気供給路２６内に進入して堆積し、当該空気供給路２６とこれに嵌挿された風量調節部材１８とが固着したような場合であっても、多少の力を加えれば空気供給路２６内で風量調節部材１８を進退させることができるようになり、何ら支障なく燃焼室２４内へ供給する空気Ａの量を調節することができる。また、空気供給路２６と風量調節部材１８とがこのようにシンプルな構造であるため、メンテナンスの際には、空気供給路２６に嵌挿した風量調節部材１８を引き抜いて取り外すだけで、該風量調節部材１８と空気供給路２６とを簡単にメンテナンスすることができるようになる。
【００１４】
本発明における第３の発明は、上記第１又は第２の発明のクッキングストーブ１０において、「前記底板１４の奥部先端に立設され、燃焼室２４の燃料Ｆや該燃料Ｆが燃焼して出来た灰或いは煤が空気供給路２６へと進入しないように隔離する奥部隔壁２８と、前記ストーブ本体１２における内部空間の上部を、長手方向他方端面１２ｃから長手方向一方端面の開口１２ｂ近傍に亘って上下に区画し、その上面側に排気路３０が形成される整流板３２とを更に備え、前記排気口２０が前記天面１２ａの長手方向他方端面１２ｃ側に設けられている」ことを特徴とするもので、これにより、空気供給路２６より取り入れた空気Ａがストーブ本体１２内を十分に通流して燃料Ｆを効率よく燃焼させることができると共に、燃料Ｆの燃焼によって生じた火炎で天面１２ａ全体を均一に加熱・昇温させることができるようになる。
【００１５】
本発明における第４の発明は、上記第１乃至第３の発明のクッキングストーブ１０の何れかにおいて、「前記ストーブ本体１２の天面１２ａにおける左右一対の長辺部１２ｄが、隣接する側面に向けて円弧状に曲成されると共に、該天面１２ａの下面側には、長手方向に沿って１又は複数本のアングル材３８が固定されている」ことを特徴とするもので、これにより、ストーブ本体１２を鉄板で形成しているにもかかわらず、熱歪に対する強度をより一層強固なものにすることができ、ストーブ本体１２の耐久性を格段に向上させることができる。
【発明の効果】
【００１６】
本発明によれば、暖房のみでなく調理用加熱器具としても好適に使用することができ、シンプルな構造で耐久性に優れ、しかも簡単に持ち運びできるような軽量化が図られたクッキングストーブを提供することができる。
【図面の簡単な説明】
【００１７】
【図１】本発明の一実施例のクッキングストーブの使用態様を示す斜視図である。
【図２】本発明の一実施例のクッキングストーブを表す正面図である。
【図３】本発明の一実施例のクッキングストーブにおける開閉扉を開放した状態を示す要部正面図である。
【図４】図２におけるＸ−Ｘ断面の要部を表す要部断面図である。
【図５】本発明の一実施例のクッキングストーブにおける開閉扉を開放した状態を示す斜面図である。
【発明を実施するための形態】
【００１８】
以下、本発明を図示実施例に従って説明する。図１は、本発明のクッキングストーブ１０の一例を示す斜視図であり、図２はその正面図である。また、図４は図２におけるＸ−Ｘ断面の要部を表す要部断面図である。本発明のクッキングストーブ１０は、屋外或いは屋内に設置され、暖房器具として機能するのはもとより、調理用加熱器具としても機能するもので、これらの図が示すように、ストーブ本体１２、底板１４、開閉扉１６、風量調節部材１８、排気口２０及びスタンド２２などで大略構成されている。
【００１９】
ストーブ本体１２は、鉄板によって形成された三角柱を一の側面が天面１２ａとなるように倒伏させた外形形状を有する容器体で、その長手方向一方端面(三角柱における一方の底面)には開口１２ｂが設けられている。なお、このストーブ本体１２を構成する鉄板の板厚は特に限定されるものではないが、当該ストーブ本体１２の耐久性などを考慮すると３．２ｍｍ程度のものが好適である。
【００２０】
このストーブ本体１２の内部空間の下部には、長手方向一方端面の開口１２ｂから長手方向他方端面１２ｃ近傍に亘って当該内部空間を上下に区画し、上面側に燃焼室２４が形成され、且つ下面側に前記燃焼室２４に対して該ストーブ本体１２の奥から空気Ａを供給する空気供給路２６が形成される鉄板製の底板１４が、溶接などの固定手段によって固定されている(図４参照)。
【００２１】
また、この底板１４の奥部先端には、燃焼室２４の燃料Ｆや該燃料Ｆが燃焼して出来た灰或いは煤が空気供給路２６へと混入しないように隔離する奥部隔壁２８が立設されており、前記ストーブ本体１２における内部空間の上部には、長手方向他方端面１２ｃから長手方向一方端面の開口１２ｂ近傍に亘って上下に区画し、その上面側に排気路３０が形成される鉄板製の整流板３２が、溶接などの固定手段によって固定されている(図４参照)。
【００２２】
さらに、ストーブ本体１２における天面１２ａの長手方向他方端面１２ｃ側には、短管状に形成されると共に煙突３４が着脱可能に連結され、排気路３０を通流して来た燃焼後の空気Ａをストーブ本体１２内から排出する排気口２０が設けられており(図１参照)、天面１２ａの長手方向一方端面側の開口１２ｂ縁部には、開閉扉１６を蝶着するためのヒンジ３６が取り付けられている。
【００２３】
そして、ストーブ本体１２の天面１２ａにおける左右一対の長辺部１２ｄは、隣接する側面に向けて円弧状に曲成されており、又、天面１２ａの下面側には、長手方向に沿って１又は複数本(図示実施例の場合２本)のアングル材３８が固定されている(図３及び図４参照)。係る構成により、ストーブ本体１２を鉄板で形成しているにもかかわらず、熱歪に対する強度をより一層強固なものにすることができ、ストーブ本体１２の耐久性を格段に向上させることができる。
【００２４】
なお、図中の符号４０は、ストーブ本体１２の側面に固着され、クッキングストーブ１０を持ち運ぶ際などに使用する「取手」である。
【００２５】
開閉扉１６は、燃料Ｆの投入口や燃焼灰の排出口となる燃焼室２４側の開口１２ｂを開閉する金属製の扉体で、その略中央部に設けられた開口に耐熱ガラスが取り付けられ、窓４２が形成されている。このような窓４２を設けることにより、燃焼室２４で燃料Ｆを燃やす際に、燃焼室２４内部の状態を視認できるようになっている。
【００２６】
また、開閉扉１６の表面側には、該開閉扉１６を開閉する際の取手となり、開閉扉１６を閉じた際にその先端がストーブ本体１２の開口１２ｂ側に設けられた鉤部材４４に嵌合して開閉扉１６が開かないようにロックするレバー部材４６が回動可能に枢着されている。
【００２７】
さらに、図３及び図５で示すように、開閉扉１６の内面側には、該開閉扉１６の縁部に沿ってガラス繊維などの耐熱性繊維を編み込んで形成したガスケット４８が取り付けられている。
【００２８】
風量調節部材１８は、空気供給路２６側の開口１２ｂを開閉し、該空気供給路２６を通流する空気Ａの風量を調節するための部材で、金属材からなり、軸に直交する垂直断面が略Ｖ字状に形成されて、空気供給路２６の内壁に沿うように嵌挿される長尺の本体１８ａと、この本体１８ａの先端に取り付けられ、該本体１８ａを空気供給路２６の最奥側まで進入させた際に空気供給路２６側の開口１２ｂを閉塞する蓋体１８ｂとで構成されている。
【００２９】
また、風量調節部材１８の蓋体１８ｂには、空気供給路２６から風量調節部材１８を引き出したり、或いは、空気供給路２６に風量調節部材１８を押し込んだりする際に、指や工具などを引っ掛けるのに用いると共に、風量調節部材１８を空気供給路２６の最奥側まで押し込んで空気供給路２６側の開口１２ｂを蓋体１８ｂで閉塞した際、燃焼室２４内に全く空気が供給されず不完全燃焼となって不安全な状態になるのを防止する貫通孔１８ｃが穿設されている。
【００３０】
スタンド２２は、三角柱を一の側面が天面１２ａとなるように倒伏させた外形形状を有するストーブ本体１２を、そのままの外形形状で支持するもので、本実施例では、図１に示すように、ストーブ本体１２の天面１２ａに隣接する左右両側面下部における長手方向前後それぞれの位置に固定された左右一対の金属製の脚部材２２ａと、ストーブ本体１２の重さによって左右一対の脚部材２２ａの先端同士の距離が拡がらない様に固定する連結部材２２ｂとで構成されている。
【００３１】
本実施例のクッキングストーブ１０を使用する際には、まず初めに、排気口２０に所定の高さの煙突３４を取り付けると共に、開閉扉１６を開けて燃焼室２４の内部に薪や廃木材などの燃料Ｆと、必要に応じて着火材や助燃材とを装填する。
【００３２】
続いて、燃料Ｆに火を点け、開閉扉１６を閉じた後、図１及び図４に示すように、空気供給路２６に取り付けた風量調節部材１８を出し入れして火力を調整する。この際、風量調節部材１８を空気供給路２６から引き抜く方向に動かすと燃料室２４内に供給される空気量が増えて火力が大きくなり、逆に、風量調節部材１８を空気供給路２６へと押し込む方向に動かすと燃料室２４内に供給される空気量が減少して火力が弱くなる。
【００３３】
そして、ストーブ本体１２の天面１２ａが、例えば１００℃或いは２００℃以上と云ったようにホットプレートとして機能する温度にまで昇温すると、この天面１２ａを使って煮炊きや炒めものなどの調理を開始することができるようになる。
【００３４】
以上のように構成された本実施例のクッキングストーブ１０によれば、ストーブ本体１２の外形形状を一の側面が天面１２ａとなるように三角柱を倒伏させた形状としているので、加熱調理に使用する天面１２ａの面積を十分に確保しつつ、ストーブ本体１２を構成する鉄板の量を極小化してストーブ本体１２の軽量化を実現することができる。
【００３５】
また、上面側に燃焼室２４が形成される底板１４は、ストーブ本体１２下部の幅が狭くなっている部分に取り付けられている。つまり、底板１４の幅が狭くなっているので、薪などの燃料Ｆが燃焼室２４へ過剰に投入されるのを防止することができ、適正量の燃料Ｆを当該燃焼室２４で効率的に燃焼させることができるようになっている。
【００３６】
さらに、風量調節部材１８が、軸に直交する垂直断面が略Ｖ字状に形成され、空気供給路２６の内壁に沿うように嵌挿される長尺の本体１８ａと、この本体１８ａの先端に取り付けられ、本体１８ａを空気供給路２６の最奥側まで進入させた際に空気供給路２６側の開口１２ｂを閉塞する蓋体１８ｂとで構成されているので、燃料Ｆの燃焼に伴なって生じた煤や灰或いはタールなどが空気供給路２６内に進入して堆積し、当該空気供給路２６とこれに嵌挿された風量調節部材１８とが固着したような場合であっても、多少の力を加えれば空気供給路２６内で風量調節部材１８を進退させることができるようになる。また、空気供給路２６と風量調節部材１８とがこのようにシンプルな構造であるため、メンテナンスの際には、空気供給路２６に嵌挿した風量調節部材１８を引き抜いて取り外すだけで、該風量調節部材１８と空気供給路２６とを簡単にメンテナンスすることができるようになる。
【００３７】
そして、ストーブ本体１２の内部を底板１４、奥部隔壁２８及び整流板３２で区画することによって、空気供給路２６より取り入れた空気Ａがストーブ本体１２内を十分に通流して燃料Ｆを効率よく燃焼させることができると共に、燃料Ｆの燃焼によって生じた火炎で天面１２ａ全体を均一に加熱・昇温させることができるようになっている。
【００３８】
なお、上述の実施例では、風量調節部材１８として空気供給路２６に出し入れして風量を調節するタイプのものを示したが、この風量調節部材１８は、空気供給路２６側の開口１２ｂを開閉し、空気供給路２６を通流する空気Ａの風量を調節できるものであれば如何なる態様であってもよく、例えば、(図示しないが)空気供給路２６側の開口１２ｂに設けたスリットを開閉するようなものであってもよい。
【符号の説明】
【００３９】
１０…クッキングストーブ
１２…ストーブ本体
１２ａ…天面
１２ｂ…開口
１２ｃ…長手方向他方端面
１２ｄ…長辺部
１４…底板
１６…開閉扉
１８…風量調節部材
１８ａ…本体
１８ｂ…蓋体
２０…排気口
２２…スタンド
２２ａ…脚部材
２２ｂ…連結部材
２４…燃焼室
２６…空気供給路
２８…奥部隔壁
３０…排気路
３２…整流板
３４…煙突
３６…ヒンジ
３８…アングル材
４０…取手
４２…窓
４４…鉤部材
４６…レバー部材
４８…ガスケット
Ｆ…燃料
Ａ…空気
【図１】
0005292442.tif 000002
【図２】
0005292442.tif 000003
【図３】
0005292442.tif 000004
【図４】
0005292442.tif 000005
【図５】
0005292442.tif 000006